(57)【要約】【課題】  索条部材の中央部が突起物等に引っ掛かるのを防止できるようにした工具の落下防止具を提供する。【解決手段】  作業者側に連結される第１連結体５と、工具４に連結される第２連結体６と、第１連結体５と第２連結体６とを連結する索条部材８とを備えた工具の落下防止具において、前記索条部材８は長手方向の一部に伸縮自在の螺旋コード９を有すると共に、少なくとも索条部材８の中央部が２つ折り状に屈曲自在とされている。また、チェーン１１は、螺旋コード９が縮小した状態のときに、索条部材８の長手方向の一端部から中央部を超える範囲に亘るように配設されている。【選択図】図１
2014159061.tif 000002
【特許請求の範囲】
【請求項１】
作業者側に連結される第１連結体（５）と、工具（４）に連結される第２連結体（６）と、第１連結体（５）と第２連結体（６）とを連結する索条部材（８）とを備えた工具の落下防止具において、
前記索条部材（８）は長手方向の一部に伸縮自在の螺旋コード（９）を有すると共に、少なくとも索条部材（８）の中央部が２つ折り状に屈曲自在とされていることを特徴とする工具の落下防止具。
【請求項２】
前記索条部材（８）は、前記螺旋コード（９）の他に複数のリング体（３９）を屈曲自在に繋いでなるチェーン（１１）を有し、該チェーン（１１）は、螺旋コード（９）が縮小した状態のときに、索条部材（８）の長手方向の一端部から中央部を超える範囲に亘るように配設されていることを特徴とする請求項１に記載の工具の落下防止具。
【請求項３】
前記索条部材（８）は、一端側に伸縮自在の螺旋コード（９）を有すると共に他端側に線状コード（４３）を有し、縮小状態の螺旋コード（９）と線状コード（４３）とが略同一長さに設定され、索条部材（８）の中央部で螺旋コード（９）と線状コード（４３）とが複数のリング体（３９）を屈曲自在に繋いでなるチェーン（１１）で連結されていることを特徴とする請求項１に記載の工具の落下防止具。
【請求項４】
前記螺旋コード（９）の線状コード（４３）側の端部に内ループ部（３３）が形成され、前記線状コード（４３）の螺旋コード（９）側の端部に内ループ部（４７）が形成され、螺旋コード（９）の内ループ部（３３）がチェーン（１１）の一端部のリング体（３９）に鎖状に繋がれ、線状コード（４３）の内ループ部（４７）がチェーン（１１）の他端部のリング体（３９）に鎖状に繋がれていることを特徴とする請求項３に記載の工具の落下防止具。
【請求項５】
前記索条部材（８）は、一端側に伸縮自在の第１螺旋コード（９ａ）を有すると共に他端側に第２螺旋コード（９ｂ）を有し、縮小状態の第１螺旋コード（９ａ）と縮小状態の第２螺旋コード（９ｂ）とが略同一長さに設定され、索条部材（８）の中央部で第１螺旋コード（９ａ）と第２螺旋コード（９ｂ）とが複数のリング体（３９）を屈曲自在に繋いでなるチェーン（１１）で連結されていることを特徴とする請求項１に記載の工具の落下防止具。
【請求項６】
前記第１螺旋コード（９ａ）の第２螺旋コード（９ｂ）側の端部に内ループ部（３３）が形成され、前記第２螺旋コード（９ｂ）の第１螺旋コード（９ａ）側の端部に内ループ部（３３）が形成され、第１螺旋コード（９ａ）の内ループ部（３３）がチェーン（１１）の一端部のリング体（３９）に鎖状に繋がれ、第２螺旋コード（９ｂ）の内ループ部（３３）がチェーン（１１）の他端部のリング体（３９）に鎖状に繋がれていることを特徴とする請求項５に記載の工具の落下防止具。
【発明の詳細な説明】
【技術分野】
【０００１】
本発明は、工具が作業者側から落下するのを防止するようにした工具の落下防止具に関するものである。
【背景技術】
【０００２】
例えば、工具が落下するのを防止するようにした工具の落下防止具には、作業者の腰ベルトに連結される第１連結体と、工具に連結される第２連結体と、第１連結体と第２連結体とを連結する索条部材とを備えたものがある。
この種の従来の工具の落下防止具には、索条部材が伸縮自在の螺旋コードにより構成され、又は索条部材が伸縮自在の螺旋コードと線状コードとにより構成され、索条部材の一端部を第１連結体を介して作業者の腰ベルトに連結すると共に、索条部材の他端部を第２連結体を介して工具に連結し、この工具を腰ベルトの側部に設けた工具サックに収納保持するようにし、高所等で作業する際に、工具を工具サックから取り出して作業をし、この際に工具が手から外れて落下しても、工具が索条部材で作業者の腰ベルトに連結されていることにより、工具が高所から大きく落下することがないようにしたものがある（例えば特許文献１、特許文献２）。
【先行技術文献】
【特許文献】
【０００３】
【特許文献１】実開昭６３−１１３５８１号公報
【特許文献２】特開２０１２−２３２４０３号公報
【発明の概要】
【発明が解決しようとする課題】
【０００４】
しかし、従来の場合、工具を腰ベルトの工具サックに収納保持している際に、索条部材の長手方向の中央部（螺旋コード又は線状コードの中途部）が大きな円弧で湾曲して下方に垂れた状態になるため、作業者が動き回る際や作業中等に索条部材の中央部が突起物等に引っ掛かり易くなり、作業の邪魔になるという問題があった。
本発明は上記問題点に鑑み、索条部材の中央部が突起物等に引っ掛かるのを防止できるようにした工具の落下防止具を提供することを目的としている。
【課題を解決するための手段】
【０００５】
本発明における課題解決のための具体的手段は、次の通りである。
この技術的課題を解決する本発明の技術的手段は、作業者側に連結される第１連結体５と、工具４に連結される第２連結体６と、第１連結体５と第２連結体６とを連結する索条部材８とを備えた工具の落下防止具において、
前記索条部材８は長手方向の一部に伸縮自在の螺旋コード９を有すると共に、少なくとも索条部材８の中央部が２つ折り状に屈曲自在とされている点にある。
【０００６】
また、本発明の他の技術的手段は、前記索条部材８は、前記螺旋コード９の他に複数のリング体３９を屈曲自在に繋いでなるチェーン１１を有し、該チェーン１１は、螺旋コード９が縮小した状態のときに、索条部材８の長手方向の一端部から中央部を超える範囲に亘るように配設されている点にある。
また、本発明の他の技術的手段は、前記索条部材８は、一端側に伸縮自在の螺旋コード９を有すると共に他端側に線状コード４３を有し、縮小状態の螺旋コード９と線状コード４３とが略同一長さに設定され、索条部材８の中央部で螺旋コード９と線状コード４３とが複数のリング体３９を屈曲自在に繋いでなるチェーン１１で連結されている点にある。
【０００７】
また、本発明の他の技術的手段は、前記螺旋コード９の線状コード４３側の端部に内ループ部３３が形成され、前記線状コード４３の螺旋コード９側の端部に内ループ部４７が形成され、螺旋コード９の内ループ部３３がチェーン１１の一端部のリング体３９に鎖状に繋がれ、線状コード４３の内ループ部４７がチェーン１１の他端部のリング体３９に鎖状に繋がれている点にある。
【０００８】
また、本発明の他の技術的手段は、前記索条部材８は、一端側に伸縮自在の第１螺旋コ
ード９ａを有すると共に他端側に第２螺旋コード９ｂを有し、縮小状態の第１螺旋コード９ａと縮小状態の第２螺旋コード９ｂとが略同一長さに設定され、索条部材８の中央部で第１螺旋コード９ａと第２螺旋コード９ｂとが複数のリング体３９を屈曲自在に繋いでなるチェーン１１で連結されている点にある。
【０００９】
また、本発明の他の技術的手段は、前記第１螺旋コード９ａの第２螺旋コード９ｂ側の端部に内ループ部３３が形成され、前記第２螺旋コード９ｂの第１螺旋コード９ａ側の端部に内ループ部３３が形成され、第１螺旋コード９ａの内ループ部３３がチェーン１１の一端部のリング体３９に鎖状に繋がれ、第２螺旋コード９ｂの内ループ部３３がチェーン１１の他端部のリング体３９に鎖状に繋がれている点にある。
【発明の効果】
【００１０】
本発明によれば、少なくとも索条部材の中央部が２つ折り状に屈曲自在とされているので、工具を腰ベルトの工具サックに収納保持している際に、索条部材の長手方向の中央部が２つ折り状又はＶ字状に屈曲して下方に垂れた状態になり、従来のように索条部材の長手方向の中央部が大きな円弧で湾曲して下方に垂れた状態になるのを防ぐことができるため、索条部材の中央部が突起物等に引っ掛かるのを効果的に防止できる。
【図面の簡単な説明】
【００１１】
【図１】本発明の第１実施形態を示す落下防止具の全体正面図である。
【図２】同螺旋コードの側面断面図である。
【図３】同落下防止具で工具を腰ベルトに連結した状態の斜視図である。
【図４】第２実施形態を示す落下防止具の全体正面図である。
【図５】同線状コードの側面断面図である。
【図６】第３実施形態を示す落下防止具の全体正面図である。
【図７】第４実施形態を示す落下防止具の全体正面図である。
【図８】第５実施形態を示す落下防止具の全体正面図である。
【図９】第６実施形態を示す落下防止具の全体正面図である。
【発明を実施するための形態】
【００１２】
以下、本発明の実施の形態を図面に基づいて説明する。
図１〜図３は本発明の第１実施形態を示している。図１及び図２において、工具の落下防止具１は、作業者の腰ベルト３（作業者側）に連結される第１連結体５と、工具４に連結される第２連結体６と、第１連結体５と第２連結体６とを連結する細長い索条部材８とを備えている。索条部材８は第１連結体５側に伸縮自在の螺旋コード９を有すると共に、第２連結体６側にチェーン１１を有している。
【００１３】
ここで、落下防止具１が取り付けられる腰ベルト３（安全帯）は、図３に示すように、作業者の腰に着脱自在に装着されるベルト本体１３を備え、ベルト本体１３に、止輪１４が突設されると共に、ハンマー、モンキーレンチ、ドライバー、ペンチ、電気ドリル等の複数の工具４を収納保持する複数の工具サック１５が取り付けられている。
第１連結体５は、所謂ナスカンと称される金具により構成されており、この第１連結体５は、フック１７とフック１７の開口部を開閉自在に閉鎖する閉鎖片１８とを有する具本体２０と、具本体２０に取付軸２１廻りに回転自在に支持された連結リング２２とを備え、閉鎖片１８は弾性線材によりリング状に形成されていてフック１７の開口部を閉じる方向（図の矢印ａ方向）に付勢力を生じるようにその両端部が具本体２０に互いにずらされて係合されている。第１連結体５はフック１７を介して作業者の腰ベルト３の止輪１４に着脱自在に連結されている。
【００１４】
第２連結体６は、第１連結体５よりもやや小型に形成されると共に、所謂ナスカンと称される金具により構成されており、この第２連結体６は、第１連結体５の場合と同様に、フック１７とフック１７の開口部を開閉自在に閉鎖する閉鎖片１８とを有する具本体２０と、具本体２０に取付軸２１廻りに回転自在に支持された連結リング２２とを備え、閉鎖片１８は弾性線材によりリング状に形成されていてフック１７の開口部を閉じる方向（図の矢印ａ方向）に付勢力を生じるようにその両端部が具本体２０に互いにずらされて係合されている。第２連結体６はフック１７により連結環２５を介して工具４に着脱自在に連
結されている。
【００１５】
連結環２５は、抜止体２７と抜止体２７から突出した環状の連結コード２８とを有している。工具４に形成した取付孔２４に連結コード２８を挿通して、その挿通した連結コード２８に第２連結体６のフック１７を係合することにより、第２連結体６が連結環２５を介して工具４に連結されている。
螺旋コード９は、図２に示すように、多数の細いステンレス線を撚り合わせた芯線２９の周りをポリウレタン製の被覆体３０で被覆して螺旋状に巻回してなり、長手方向に引っ張ることにより、弾性変形によって５〜８倍程度に伸長し、その引張力を解除することによって元の縮小した状態に戻るようになっている。
【００１６】
螺旋コード９のチェーン１１側の端部（内端部）に内ループ部３３が形成され、螺旋コード９の第１連結体５側の端部（外端部）に外ループ部３４が形成されている。
螺旋コード９の外ループ部３４が第１連結体５の連結リング２２に鎖状に繋がれ、これにより、螺旋コード９の外端部と第１連結体５とが屈曲自在に連結されている。
前記螺旋コード９の内ループ部３３及び外ループ部３４は、図２に示すように、螺旋コード９の端部側を２つ折り状に折り曲げ、そのリング状の折曲部分を残して、その折曲端部と折曲基部とに金属製の筒状体３６を外嵌してかしめる（圧着する）ことにより形成されている。筒状体３６上に柔軟な合成樹脂製の被覆筒体３７が外嵌されている。
【００１７】
チェーン１１は、金属又は合成樹脂製の多数のリング体３９を屈曲自在に繋いでなり、チェーン１１の一端部（外端部）のリング体３９は第２連結体６の連結リング２２に鎖状に繋がれ、これによりチェーン１１の外端部が第２連結体６に屈曲自在に連結されている。また、チェーン１１の他端部（内端部）のリング体３９は螺旋コード９の内ループ部３３に鎖状に繋がれ、これにより、螺旋コード９の内端部とチェーン１１の内端部とが屈曲自在に連結されている。
【００１８】
チェーン１１は、螺旋コード９が縮小した状態のときに、索条部材８の第２連結体６側の端部から中央部を超える範囲に亘るように配設されている。従って、チェーン１１は各隣り合うリング体３９間で２つ折り状又はＶ字状に屈曲自在になるため、チェーン１１が索条部材８の第２連結体６側の端部から中央部を超える範囲に亘るように配設されていることによって、索条部材８はその長手方向の一端部から中央部を超える範囲に亘って小間隔おきに２つ折り状又はＶ字状に屈曲自在とされている。
【００１９】
前記第１実施形態によれば、例えば高所で作業をする場合、作業者の腰に装着した腰ベルト３の止輪１４に、第１連結体５のフック１７を係合することにより、複数の落下防止具１をそれぞれ第１連結体５を介して連結し、複数の落下防止具１の第２連結体６をハンマー、モンキーレンチ、ドライバー、ペンチ、電気ドリル等の複数の工具４にそれぞれ連結環２５を介して連結し、その複数の工具４を腰ベルト３の工具サック１５に収納保持しておく。
【００２０】
そして、作業をする際には、所望の工具４を工具サック１５から取り出して、該工具４を手に持って作業をすればよい。この際には、螺旋コード９が長手方向に引っ張られて、弾性変形によって５〜８倍程度伸長するので、手に持った工具４でスムーズに作業を行うことができる。
このとき、工具４が不測に手から外れることがあっても、工具４は索条部材８で作業者の腰ベルト３に連結されているため、工具４が高所から大きく落下することを確実に防止できる。
【００２１】
また、チェーン１１が索条部材８の第２連結体６側の端部から中央部を超える範囲に亘るように配設されていることによって、索条部材８はその長手方向の一端部から中央部を超える範囲に亘って小間隔おきに２つ折り状又はＶ字状に屈曲自在とされているので、図３に示すように、工具４を腰ベルト３の工具サック１５に収納保持している際に、索条部材８の長手方向の中央部が２つ折り状又はＶ字状に屈曲して下方に垂れた状態になり、従来のように索条部材の長手方向の中央部が大きな円弧で湾曲して下方に垂れた状態になるのを防ぐことができるため、作業者が動き回る際や作業中等に、索条部材８の中央部が突起物等に引っ掛かるのを効果的に防止でき、索条部材８が作業の邪魔にならずに済む。
【００２２】
しかも、この場合、工具サック１５への工具４の収納の仕方や収納位置が変更されること等によって、索条部材８のＶ字状に屈曲する最下端部の位置が索条部材８の中央部から多少ずれることがあっても、チェーン１１は小間隔おきに２つ折り状又はＶ字状に屈曲自在とされているので、索条部材８の中央部側の最下端部をより確実に２つ折り状又はＶ字状に屈曲させることができるし、チェーン１１を複数のリング体３９に亘って小間隔おきにそれぞれ大きく屈曲させて、極力小さな円弧で屈曲させることができ、従来のように索条部材８の長手方向の中央部が大きな円弧で湾曲して下方に垂れた状態になるのを確実に防ぐことができる。
【００２３】
図４及び図５は第２実施形態を示している。図４において、索条部材８は、一端側（第１連結体５側）に伸縮自在の螺旋コード９を有すると共に他端側（第２連結体６側）に線状コード４３を有し、螺旋コード９と線状コード４３とは比較的短いチェーン１１により連結されている。縮小状態の螺旋コード９と線状コード４３とが略同一長さに設定されている。
【００２４】
線状コード４３は、図５に示すように、螺旋コード９と同様に多数の細いステンレス線を撚り合わせた芯線４４の周りをポリウレタン製の被覆体４５で被覆してなり、一直線状の硬質なコードとされている。
前記螺旋コード９の線状コード４３側の端部（内端部）に内ループ部３３が形成され、前記線状コード４３の螺旋コード９側の端部（内端部）に内ループ部４７が形成されている。
【００２５】
螺旋コード９の内ループ部３３がチェーン１１の一端部のリング体３９に鎖状に繋がれ、これにより、螺旋コード９の内端部がチェーン１１に屈曲自在に連結され、線状コード４３の内ループ部４７がチェーン１１の他端部のリング体３９に鎖状に繋がれ、これにより、線状コード４３の内端部がチェーン１１に屈曲自在に連結されている。而して、索条部材８の中央部で螺旋コード９と線状コード４３とが複数のリング体３９を屈曲自在に繋いでなるチェーン１１で連結されている。
【００２６】
線状コード４３の第２連結体６側の端部（外端部）に外ループ部４８が形成され、外ループ部４８が第２連結体６の連結リング２２に鎖状に繋がれることにより、線状コード４３が第２連結体６に屈曲自在に連結されている。
前記線状コード４３の内ループ部４７及び外ループ部４８は、図５に示すように、螺旋コード９の場合と同様に、線状コード４３の端部側を２つ折り状に折り曲げ、そのリング状の折曲部分を残して、その折曲端部と折曲基部とに筒状体３６を外嵌してかしめる（圧着する）ことにより形成され、筒状体３６上に被覆筒体３７が外嵌されている。
【００２７】
この実施形態の場合、螺旋コード９の内ループ部３３及び外ループ部３４における筒状体３６上に外嵌される被覆筒体３７は省略されている。
前記第２実施形態によれば、工具４を腰ベルト３の工具サック１５に収納保持している際に、索条部材８の長手方向の中央部がチェーン１１によって２つ折り状又はＶ字状に屈曲して下方に垂れた状態になり、従来のように索条部材８の長手方向の中央部が大きな円弧で湾曲して下方に垂れた状態になるのを確実に防ぐことができるため、作業者が動き回る際や作業中等に索条部材８の中央部が突起物等に引っ掛かるのを効果的に防止できる。
【００２８】
図６は第３実施形態を示し、線状コード４３は、第２実施形態の場合と同様に多数の細いステンレス線を撚り合わせた芯線４４の周りをポリウレタン製の被覆体４５で被覆してなるが、可撓性を有する線状の軟質なコードとされている。また、この実施形態の場合、螺旋コード９の内ループ部３３及び外ループ部３４における筒状体３６上に外嵌される被覆筒体３７は省略され、線状コード４３の内ループ部４７及び外ループ部４８における筒状体３６上に外嵌される被覆筒体３７も省略されている。その他の点は前記第２実施形態の場合と同様の構成である。
【００２９】
図７は第４実施形態を示し、索条部材８は、一端側に伸縮自在の第１螺旋コード９ａ（螺旋コード９）を有すると共に他端側に第２螺旋コード９ｂ（螺旋コード９）を有し、第１螺旋コード９ａと第２螺旋コード９ｂとは比較的短いチェーン１１により連結されている。縮小状態の第１螺旋コード９ａと縮小状態の第２螺旋コード９ｂとが略同一長さに設
定されている。
【００３０】
第１螺旋コード９ａの第１連結体５側の端部（外端部）に外ループ部３４が形成され、外ループ部３４が第１連結体５の連結リング２２に鎖状に繋がれることにより、第１螺旋コード９ａの外端部が第１連結体５に屈曲自在に連結されている。
第２螺旋コード９ｂの第２連結体６側の端部（外端部）に外ループ部３４が形成され、外ループ部３４が第２連結体６の連結リング２２に鎖状に繋がれることにより、第２螺旋コード９ｂの外端部が第２連結体６に屈曲自在に連結されている。
【００３１】
第１螺旋コード９ａの第２螺旋コード９ｂ側の端部（内端部）に内ループ部３３が形成され、第２螺旋コード９ｂの第１螺旋コード９ａ側の端部（内端部）に内ループ部３３が形成されている。
第１螺旋コード９ａの内ループ部３３がチェーン１１の一端部のリング体３９に鎖状に繋がれ、これにより、第１螺旋コード９ａの内端部がチェーン１１に屈曲自在に連結され、第２螺旋コード９ｂの内ループ部３３がチェーン１１の他端部のリング体３９に鎖状に繋がれ、これにより、第２螺旋コード９ｂの内端部がチェーン１１に屈曲自在に連結されている。而して、索条部材８の中央部で第１螺旋コード９ａと第２螺旋コード９ｂとが複数のリング体３９を屈曲自在に繋いでなるチェーン１１で連結されている。
【００３２】
前記第４実施形態によれば、工具４を腰ベルト３の工具サック１５に収納保持している際に、索条部材８の長手方向の中央部がチェーン１１によって２つ折り状又はＶ字状に屈曲して下方に垂れた状態になり、従来のように索条部材８の長手方向の中央部が大きな円弧で湾曲して下方に垂れた状態になるのを確実に防ぐことができるため、作業者が動き回る際や作業中等に索条部材８の中央部が突起物等に引っ掛かるのを効果的に防止できる。
【００３３】
図８は第５実施形態を示し、索条部材８は、一端側に伸縮自在の螺旋コード９を有すると共に他端側に線状コード４３を有し、縮小状態の螺旋コード９と線状コード４３とが略同一長さに設定され、前記螺旋コード９の線状コード４３側の端部（内端部）に内ループ部３３が形成され、前記線状コード４３の螺旋コード９側の端部（内端部）に内ループ部４７が形成され、螺旋コード９の内ループ部３３と線状コード４３の内ループ部４７とが鎖状に繋がれて索条部材８の中央部で螺旋コード９と線状コード４３とが２つ折り状に連結されている。
【００３４】
この実施形態の場合、螺旋コード９の内ループ部３３及び外ループ部３４は、螺旋コード９の端部側を２つ折り状に折り曲げ、そのリング状の折曲部分を残してその折曲端部と折曲基部とを被覆体３０を利用して溶着してなる。また、線状コード４３の内ループ部４７及び外ループ部４８は、線状コード４３の端部側を２つ折り状に折り曲げ、そのリング状の折曲部分を残してその折曲端部と折曲基部とを被覆体４５を利用して溶着してなる。その他の点は前記第２実施形態の場合と同様の構成である。
【００３５】
図９は第６実施形態を示し、索条部材８は、一端側に伸縮自在の螺旋コード９を有すると共に他端側に線状コード４３を有し、縮小状態の螺旋コード９と線状コード４３とが略同一長さに設定され、前記螺旋コード９の線状コード４３側の端部（内端部）に内ループ部３３が形成され、前記線状コード４３の螺旋コード９側の端部（内端部）に内ループ部４７が形成され、螺旋コード９の内ループ部３３と線状コード４３の内ループ部４７とが連結リング５１を介して鎖状に繋がれて、索条部材８の中央部で螺旋コード９と線状コード４３とが２つ折り状に屈曲自在に連結されている。その他の点は前記第５実施形態の場合と同様の構成である。
【００３６】
なお、前記第１実施形態では、螺旋コード９の外端部を第１連結体５に連結し、チェーン１１の外端部を第２連結体６に連結しているが、これに代え、螺旋コード９の外端部を第２連結体６に連結し、チェーン１１の外端部を第１連結体５に連結してもよい。
また、前記第２実施形態、第３実施形態、第５実施形態及び第６実施形態では、螺旋コード９の外端部を第１連結体５に連結し、線状コード４３の外端部を第２連結体６に連結しているが、これに代え、螺旋コード９の外端部を第２連結体６に連結し、線状コード４３の外端部を第２連結体６に連結してもよい。
【００３７】
また、前記実施形態では、第２連結体６を連結環２５を介して工具４に連結しているが
、これに代え、第２連結体６のフック１７を工具４の取付孔等に引っ掛けることによって第２連結体６を直接工具４に着脱自在に連結するようにしてもよい。
また、前記実施形態では、第１連結体５及び第２連結体６は所謂ナスカンと称される金具により構成しているが、これに代え、第１連結体５又は第２連結体６を、より簡単な構造の合成樹脂製のフック部材その他で構成するようにしてもよい。
【符号の説明】
【００３８】
１      落下防止具
４      工具
５      第１連結体
６      第２連結体
８      索条部材
９      螺旋コード
９ａ    第１螺旋コード
９ｂ    第２螺旋コード
１１    チェーン
３３    内ループ部
３９    リング体
４３    線状コード
４７    内ループ部
【図１】
2014159061.tif 000003
【図２】
2014159061.tif 000004
【図３】
2014159061.tif 000005
【図４】
2014159061.tif 000006
【図５】
2014159061.tif 000007
【図６】
2014159061.tif 000008
【図７】
2014159061.tif 000009
【図８】
2014159061.tif 000010
【図９】
2014159061.tif 000011